(57)【要約】【課題】液体収容袋に液体を注入する際に展開不良が発生するのを防止することができる液体収容袋及びバッグインボックスを提供する。【解決手段】液体収容袋１は、箱状容器に収容されて液体が注入される液体収容袋１であって、箱状容器の底面に設置される底面部と、底面部と対向する上面部３と、底面部及び上面部３と接続され、底面部と上面部３との間に折り畳まれる対向する一対の側面マチ部５と、液体収容袋１に液体を注入する注入口と、を備え、側面マチ部５は、上面部３に隣接する上側マチ部５Ａと、底面部に隣接する下側マチ部５Ｂとを備え、上面部３と上側マチ部５Ａとからなる上側ガゼット部が、上面部３側へ折り曲げられている。【選択図】図７
2014019456.tif 000002
【特許請求の範囲】
【請求項１】
箱状容器に収容されて液体が注入される液体収容袋であって、
前記箱状容器の底面に設置される底面部と、
前記底面部と対向する上面部と、
前記底面部及び前記上面部と接続され、前記底面部と前記上面部との間に折り畳まれる対向する一対の側面マチ部と、
前記液体収容袋に液体を注入する注入口と、を備え、
前記側面マチ部は、前記上面部に隣接する上側マチ部と、前記底面部に隣接する下側マチ部とを備え、
前記上面部と前記上側マチ部とからなる上側ガゼット部が、前記上面部側へ折り曲げられている液体収容袋。
【請求項２】
前記一対の側面マチ部の対向方向に直交する方向における端部が、前記上面部側へ折り曲げられている請求項１に記載の液体収容袋。
【請求項３】
前記底面部、前記上面部、及び前記側面マチ部は、矩形に形成されており、
前記底面部及び前記下側マチ部の角部が、前記底面部及び前記側面マチ部の各辺に対して略４５度に傾斜した線において融着されており、
前記上面部及び前記上側マチ部の角部が、前記上面部及び前記側面マチ部の各辺に対して略４５度に傾斜した線において融着されている請求項１又は２に記載の液体収容袋。
【請求項４】
請求項１〜３の何れか一項に記載の液体収容袋と、
前記液体収容袋が収容される箱状容器と、を備え、
前記液体収容袋の底面部が前記箱状容器の底面に設置されているバッグインボックス。
【請求項５】
前記箱状容器が、上方へ展開可能に折り畳まれている請求項４に記載のバッグインボックス。
【請求項６】
前記箱状容器が、前記底面に対向する上面が開口された直方体に形成されており、前記箱状容器の箱側面部が、前記箱状容器の内側に折り畳まれている請求項４又は５に記載のバッグインボックス。
【請求項７】
前記箱側面部が、対向する一対の第１箱側面部と、該第１箱側面部の対向方向に直交する方向に対向する一対の第２箱側面部とを備え、前記第１箱側面部が前記箱状容器の内側へ折り畳まれており、前記第１箱側面部の上から前記第２箱側面部が前記箱状容器の内側へ折り畳まれている請求項６に記載のバッグインボックス。
【請求項８】
前記箱状容器が、前記開口を塞いで前記箱側面部を囲う蓋を有する請求項６又は７に記載のバッグインボックス。
【発明の詳細な説明】
【技術分野】
【０００１】
本発明は、液体が注入される液体収容袋、及び、この液体収容袋を箱状容器に収容したバッグインボックスに関する。
【背景技術】
【０００２】
業務用液体やウォーターサーバー用飲料水などの多量の液体を収容する液体収容袋として、例えば、特許文献１に記載されているようなガゼットタイプの液体収容袋が知られている。この液体収容袋は、段ボール箱などの箱状容器に収容されるバッグインボックスとして用いられるものであり、底面部と、上面部と、これらの間に折り畳まれる一対の側面マチ部とを備えている。ここで、側面マチ部は、上面部に隣接する上側マチ部と、底面部に隣接する下側マチ部とを備えており、液体収容袋は、上面部と上側マチ部とからなる上側ガゼット部と、底面部と下側マチ部とからなる下側ガゼット部とを備えている。そして、この液体収容袋は液体が注入される前は折り畳まれており、液体が注入されると上側ガゼット部及び下側ガゼット部に液体が浸入することにより、側面マチ部が展開して膨らむ構造を有している。
【先行技術文献】
【特許文献】
【０００３】
【特許文献１】特開２００３−１９１９６７号公報
【発明の概要】
【発明が解決しようとする課題】
【０００４】
しかしながら、液体収容袋に液体を注入する際に、先に上側ガゼット部に液体が浸入すると、上側ガゼット部に注入された液体の重みによって下側ガゼット部が押さえつけられてしまい、展開不良が起こる。その結果、当該下側ガゼット部に液体が浸入できなくなり、液体収容袋が本来収容可能な液体量を収容できなくなるという問題があった。
【０００５】
そこで、本発明は、液体収容袋に液体を注入する際に展開不良が発生するのを防止することができる液体収容袋及びバッグインボックスを提供することを目的とする。
【課題を解決するための手段】
【０００６】
本発明に係る液体収容袋は、箱状容器に収容されて液体が注入される液体収容袋であって、箱状容器の底面に設置される底面部と、底面部と対向する上面部と、底面部及び上面部と接続され、底面部と上面部との間に折り畳まれる対向する一対の側面マチ部と、液体収容袋に液体を注入する注入口と、を備え、側面マチ部は、上面部に隣接する上側マチ部と、底面部に隣接する下側マチ部とを備え、上面部と上側マチ部とからなる上側ガゼット部が、上面部側へ折り曲げられていることを特徴とする。
【０００７】
本発明に係る液体収容袋によれば、上側ガゼット部が上面部側へ折り曲げられていることにより、上側ガゼット部の折り曲げ部分よりも先端側への液体の浸入を抑制できるため、注入口から注入された液体が上側ガゼット部よりも先に下側ガゼット部に溜まり易くなる。これにより、上側ガゼット部に溜まった液体の重みにより下側ガゼット部が押さえつけられてしまうという事態を避けることができるため、液体収容袋に液体を注入する際に展開不良が発生するのを防止することができる。
【０００８】
また、一対の側面マチ部の対向方向に直交する方向における端部が、上面部側へ折り曲げられていてもよい。これにより、液体収容袋の当該直交する方向における幅長が箱状容器の幅長よりも長い場合であっても、液体収容袋の当該直交する方向における幅長を調節することができ、液体収容袋に意図しない重なり部分が生じないように液体収容袋を箱状容器に収容することができる。しかも、このようにしても、上側ガゼット部の折り曲げ部分よりも先端側への液体の浸入を抑制できるため、液体収容袋に液体を注入する際に展開不良が発生するのを防止することができる。
【０００９】
また、底面部、上面部、及び側面マチ部は、矩形に形成されており、底面部及び下側マチ部の角部が、底面部及び側面マチ部の各辺に対して略４５度に傾斜した線において融着されており、上面部及び上側マチ部の角部が、上面部及び側面マチ部の各辺に対して略４５度に傾斜した線において融着されていてもよい。これにより、液体収容袋に液体が注入されて液体収容袋の内側から水圧がかかった際に、液体収容袋を直方体形状に膨らませ、箱状容器の形状に合致させることができる。また、余った角の領域を、例えば持ち運び易くするための把手穴を設けた形状にするなど、任意の形状とする余地を持たせることができる。
【００１０】
本発明に係るバッグインボックスは、上記の液体収容袋と、当該液体収容袋が収容される箱状容器と、を備え、当該液体収容袋の底面部が当該箱状容器の底面に設置されていることを特徴とする。
【００１１】
本発明に係るバッグインボックスによれば、予め液体収容袋を箱状容器に収容しておくことができ、液体が注入されて重く不安定となった液体収容袋を箱状容器に収容する必要がなくなるため、作業労力を減らすことができる。
【００１２】
また、箱状容器が、上方へ展開可能に折り畳まれていてもよい。このように箱状容器を折り畳むことにより、バッグインボックスの嵩を減らすことができるため、バッグインボックスの運搬や保管が容易になる。しかも、箱状容器は、上方へ展開することができるため、液体を注入されて展開された液体収容袋を収容することができる。
【００１３】
また、箱状容器が、底面に対向する上面が開口された直方体に形成されており、箱状容器の箱側面部が、箱状容器の内側に折り畳まれていてもよい。これにより、バッグインボックスの嵩を減らすことができ、バッグインボックスの運搬や保管が容易になる。しかも、液体収容袋に液体が注入されると、液体収容袋は、展開すると共に箱状容器の内側に折り畳まれている箱側面部を押し上げる。このように、液体収容袋に液体を注入することで、箱状容器の内側に折り畳まれている箱側面部を自動的に展開させることができるため、液体収容袋に液体を注入する前に手作業等により箱状容器を予め展開しておく必要がなくなり、作業性が向上する。
【００１４】
この場合、箱側面部が、対向する一対の第１箱側面部と、当該第１箱側面部の対向方向に直交する方向に対向する一対の第２箱側面部とを備え、第１箱側面部が箱状容器の内側へ折り畳まれており、当該第１箱側面部の上から第２箱側面部が箱状容器の内側へ折り畳まれていてもよい。このようにすることで、側面部を切ることなく、箱状容器を容易に折り畳むことができる。
【００１５】
また、箱状容器が、開口を塞いで箱側面部を囲う蓋を有してもよい。これにより、箱状容器の箱側面部は展開する際に、自動的に蓋に嵌まるようになり、箱本体部に蓋を取り付ける作業を別工程の作業として行う必要がなくなるため、作業性が向上する。
【発明の効果】
【００１６】
本発明によれば、液体収容袋に液体を注入する際に展開不良が発生するのを防止することができる液体収容袋及びバッグインボックスを提供することができる。
【図面の簡単な説明】
【００１７】
【図１】バッグインボックスの正面図である。
【図２】バッグインボックスの斜視図である。
【図３】図１のＩＩＩ−ＩＩＩ線における断面図である。
【図４】液体収容袋の底面図である。
【図５】液体収容袋の平面図である。
【図６】図５のＶＩ−ＶＩ線における概略断面図である。
【図７】図５の液体収容袋をＬ１において折り曲げた状態を示す図である。
【図８】図７のＶＩＩＩ−ＶＩＩＩ線における概略断面図である。
【図９】図７の液体収容袋をＬ２において折り曲げた状態を示す図である。
【図１０】液体が充填された状態の液体収容袋を示す斜視図である。
【図１１】実施形態に係る箱状容器の箱本体部を示す斜視図である。
【図１２】図１０の箱本体部を折り畳んだ状態を示す平面図である。
【図１３】液体収容袋に液体を注入する前のバッグインボックスを示す概略端面図である。
【図１４】液体収容袋に液体を充填した後のバッグインボックスを示す概略端面図である。
【図１５】変形例に係る液体収容袋の底面図である。
【図１６】変形例に係る箱本体部の斜視図である。
【図１７】図１６の箱本体部を折り畳んだ状態を示す平面図である。
【発明を実施するための形態】
【００１８】
以下、図面を参照して、本発明に係る液体収容袋及びバッグインボックスの実施形態について詳細に説明する。なお、図面の説明において同一又は同等の要素には同一の符号を付し、重複する説明を省略する。
【００１９】
まず、図１〜図３を参照して、本実施形態に係るバッグインボックス２０の構成について説明する。
【００２０】
図１〜図３に示すように、バッグインボックス２０は、液体収容袋１と、これを収容する略直方体の箱状容器１０とから構成される。箱状容器１０は、上面が開口された箱本体部１５と、箱本体部１５の開口を塞ぐ蓋１４とからなり、箱本体部１５は、箱底面部１１と、箱底面部１１から立設される箱側面部１２とからなる。
【００２１】
次に、図４〜図１０を用いて、本実施形態に係る液体収容袋１について説明する。
【００２２】
図４〜図６に示すように、液体収容袋１は、底面部２、上面部３、一対の側面マチ部５、及び、底面部２の中央付近に取り付けられて液体を注入する注入口４を備える。底面部２は、矩形状に形成されており、短辺の長さが箱状容器１０の箱底面部１１の幅長と同程度であり、長辺の長さが箱状容器１０の箱底面部１１の幅長よりも長い。上面部３は、底面部２と同じ大きさの矩形状に形成されている。側面マチ部５は、矩形状に形成されており、長辺の長さが底面部２及び上面部３の各長辺の長さと同じであり、短辺の長さが底面部２及び上面部３の各短辺の長さよりも短い。ただし、底面部２、上面部３、及び側面マチ部５の上記寸法は一例に過ぎず、これに限定されるものではない。なお、以降の説明において、底面部２又は上面部３の一対の長辺が対向する方向を単に短手方向といい、底面部２又は上面部３の一対の短辺が対向する方向を単に長手方向という。
【００２３】
側面マチ部５の長辺縁は、底面部２の長辺縁と上面部３の長辺縁とに融着され、側面マチ部５は、底面部２と上面部３との間に半分に折り畳まれている。側面マチ部５の短辺縁は、底面部２又は上面部３の短辺縁であって側面マチ部５の短辺縁と隣接する部分と融着され、底面部２及び上面部３の短辺縁であって一対の側面マチ部５の間に位置する部分は、互いに融着されている。このように、底面部２、上面部３、及び側面マチ部５が融着されて接続されることにより、一体的な液体収容袋１が形成される。底面部２、上面部３、及び側面マチ部５は、合成樹脂などのフィルム素材からなる。ただし、底面部２、上面部３、及び側面マチ部５を接続する方法は融着に限定されない。また、底面部２、上面部３、及び側面マチ部５の素材は、折り畳み可能かつ展開可能な柔軟性及び拡張性を備えた素材であればよく、上記フィルム素材に限定されない。
【００２４】
図６に示すように、側面マチ部５は、上面部３に隣接する上側マチ部５Ａと、底面部２に隣接する下側マチ部５Ｂとを備える。側面マチ部５は、上側マチ部５Ａと下側マチ部５Ｂとが隣接するように、底面部２と上面部３との間に折り畳まれている。ここで、上側マチ部５Ａと上面部３の上側マチ部５Ａに隣接する部分とを上側ガゼット部７と、下側マチ部５Ｂと底面部２の下側マチ部５Ｂに隣接する部分とを下側ガゼット部８と、それぞれ定義する。
【００２５】
図４〜図６に示すように、底面部２と下側マチ部５Ｂの角部（下側ガゼット部８の角部）は、底面部２及び側面マチ部５の各辺に対して略４５度に傾斜した線において融着されており、上面部３と上側マチ部５Ａの角部（上側ガゼット部７の角部）は、上面部３及び側面マチ部５の各辺に対して略４５度に傾斜した線において融着されている。これにより、注入口４から液体収容袋１に液体が注入されると、液体収容袋１は箱状容器１０に収まるような直方体形状に膨らむ（図１０参照）。
【００２６】
また、底面部２、上面部３、及び側面マチ部５それぞれの四隅（上側ガゼット部７及び下側ガゼット部８の角部）において、融着された線から頂点側の領域に、三角形状の角部６が形成される。各隣接する角部６により形成される閉空間には液体は流入しないため、角部６には任意の加工を施すことができる。例えば、角部６の中央付近に、持ち運びし易くするための把手穴などを設けてもよい。また、角部６を切除してもよい。
【００２７】
図５、図７、及び図８に示すように、上側ガゼット部７は、上面部３側へ折り曲げられている。ここで、上側ガゼット部７が折り曲げられる折目ラインＬ１は、長手方向と略平行となる。このように上側ガゼット部７を折り曲げることで、注入口４から液体収容袋１に液体が注入される際に、液体が上側ガゼット部７の折り曲げ部分よりも先端側へ浸入するのを抑制でき、注入口４から注入された液体は上側ガゼット部７よりも先に下側ガゼット部８に溜まり易くなる。これにより、上側ガゼット部７に溜まった液体の重みにより下側ガゼット部８が押さえつけられてしまうという事態を避けることができる。なお、上側ガゼット部７への液体の浸入を効果的に抑制するという観点から、折目ラインＬ１は、上側ガゼット部７が少なくとも半分程度折り曲げられるような位置にあることが好ましい。ただし、折目ラインＬ１の位置はこれに限定されず、下側ガゼット部８が上側ガゼット部７に溜まった液体の重みにより押さえつけられることを回避できる程度に上側ガゼット部７への液体の浸入を抑制できるような位置であればよい。
【００２８】
図７及び図９に示すように、長辺方向に対向する液体収容袋１の端部は、上面部３側へ折り曲げられている。ここで、当該端部が折り曲げられる折目ラインＬ２は、短手方向と略平行となる。折目ラインＬ２は、当該端部を折り曲げた際に、液体収容袋１の長手方向の長さが箱状容器１０の箱底面部１１の幅長以下程度になるような位置にある。当該端部が折り畳まれた液体収容袋１は、長手方向及び短手方向において箱底面部１１にちょうど収まるように、箱状容器１０に収容される。これにより、液体収容袋１に意図しない重なり部分が生じてしまうのを防止することができる。すなわち、液体収容袋１にこのような意図しない重なり部分が生ずると、液体収容袋１に液体が注入される際に、重なり部分の上側に溜まった液体が重なり部分の下側部分を押さえつけてしまうような展開不良が発生するが、液体収容袋１の長手方向の端部を上記位置で折り曲げることで、このような展開不良が発生するのを防止することができる。
【００２９】
次に、図１１〜図１３を用いて、本実施形態に係る箱状容器１０について説明する。
【００３０】
図１１に示すように、箱状容器１０の箱本体部１５は、箱底面部１１に対向する上面が開口された直方体に形成されている。箱側面部１２は、対向する一対の第１箱側面部１２Ａと、当該第１箱側面部１２Ａの対向方向に直交する方向に対向する一対の第２箱側面部１２Ｂとからなる。
【００３１】
図１１における折目ラインＬ３１、Ｌ３２及びＬ４は仮想的な折目ラインを示す。第１箱側面部１２Ａは、第１箱側面部１２Ａの外側から見て、折目ラインＬ３１において山折りとなり、折目ラインＬ４において谷折りとなるように、箱本体部１５の内側に折り畳まれる。第２箱側面部１２Ｂは、第２箱側面部１２Ｂの外側から見て、折目ラインＬ３２において山折りとなり、折り畳まれた第１箱側面部１２Ａの上に重なるように、箱本体部１５の内側に折り畳まれる。このように箱側面部１２が箱本体部１５の内側に折り畳まれることにより、バッグインボックス２０の嵩を減らすことができ、バッグインボックス２０の運搬や保管が容易になる。また、箱側面部１２を切ることなく、箱状容器１０を容易に折り畳むことができる。このようにして箱側面部１２が箱本体部１５の内側に折り畳まれた状態の平面図を、図１２に示す。
【００３２】
そして、液体収容袋１は、上側ガゼット部７が折り曲げられるとともに、液体収容袋１の長手方向における両端部が折り曲げられた状態で箱本体部１５に収容されている（図３参照）。すなわち、液体収容袋１が直方体に展開して底面となる部分のみが箱本体部１５に当接されている。さらに、図１３に示すように、箱側面部１２は、箱本体部１５の内側に折り畳まれており、蓋１４が、箱本体部１５の開口を塞いで箱側面部１２を囲うように、箱本体部１５の上側に被せられている。
【００３３】
次に、図１３及び図１４を用いて、液体収容袋１に液体が注入される際における、バッグインボックス２０（液体収容袋１及び箱状容器１０）の各状態について説明する。
【００３４】
図１３に示すように、液体収容袋１に液体が注入される前には、箱側面部１２は、箱本体部１５の内側に折り畳まれており、蓋１４は箱本体部１５の開口を塞いで箱側面部１２を囲うように、箱本体部１５の上側に被せられている。
【００３５】
液体収容袋１への液体注入が開始されると、上側ガゼット部７においては、折り曲げ部分よりも先端側への液体の浸入が抑制されることにより、上側ガゼット部７よりも先に下側ガゼット部８に液体が溜まり、下側ガゼット部８が上側ガゼット部７よりも先に展開し始める。その後、下側ガゼット部８に十分に液体が溜まると、下側ガゼット部８の内部の液体の水圧が高くなることにより、液体が下側ガゼット部８へ浸入しにくくなる一方、液体が上側ガゼット部７へ浸入しようとする圧力が高くなる。従って、液体は上側ガゼット部７の折り曲げ部分を押し開くように上側ガゼット部７へ浸入していき、上側ガゼット部７が展開し始める。このように、まず下側ガゼット部８が展開し、その後上側ガゼット部７が展開することにより、液体収容袋１は上方へ展開する。すると、箱本体部１５の内側に折り畳まれている箱側面部１２が上方へ展開した液体収容袋１によって押し上げられると共に、箱本体部１５の上側に被せられた蓋１４も押し上げられる。そして、箱側面部１２の折目ラインＬ３１よりも先端側の部分は、上方へ展開していき、蓋１４の側面壁に合致したところで展開を停止する。すなわち、蓋１４の側面壁はストッパーの役割を果たし、箱側面部１２と蓋１４とが合致した状態で安定する。この状態におけるバッグインボックス２０の概略端面図を、図１４に示す。
【００３６】
以上述べたように、液体収容袋１の上側ガゼット部７が上面部３側に折り曲げられていることにより、上側ガゼット部７に溜まった液体の重みにより下側ガゼット部８が押さえつけられてしまうという事態を避け、液体収容袋１の展開不良を防止することができる。
【００３７】
また、液体収容袋１の長手方向の端部をさらに折り曲げることにより、液体収容袋１に意図しない重なり部分が生じてしまうのを防止することができる。すなわち、液体収容袋１に液体が注入される際に、重なり部分の上側に溜まった液体が重なり部分の下側部分を押さえつけてしまうような展開不良が発生するのを防止することができる。
【００３８】
また、予め液体収容袋１を箱状容器１０に収容しておくことにより、液体が注入されて重く不安定となった液体収容袋１を箱状容器１０に収容する必要がなくなる。
【００３９】
また、液体収容袋１の展開により、箱状容器１０の内側に折り畳まれている箱側面部１２を自動的に展開させることができるため、液体収容袋１に液体を注入する前に手作業等により箱状容器１０を予め展開しておく必要がなくなる。
【００４０】
また、箱側面部１２は展開すると自動的に蓋１４に嵌まるため、箱本体部１５に蓋１４を取り付ける作業を別工程の作業として行う必要がなくなる。
【００４１】
以上、本発明の実施形態について説明したが、本発明は上記実施形態に限定されるものではない。
【００４２】
上記実施形態では、液体収容袋１は、底面部２、上面部３、及び側面マチ部５の形状が矩形である場合について説明したが、これらの形状は矩形に限定されない。例えば、上記実施形態における角部６に相当する部分を切り落とした八角形状としてもよい。また、底面部２、上面部３、及び側面マチ部５の形状は、上記のような矩形状でなくてもよく、例えば、なめらかで角を有しないような形状であってもよい。
【００４３】
また、箱状容器１０は蓋１４を有するものとして説明したが、箱状容器１０は蓋１４を備えていなくてもよい。また、注入口４の位置は、図１５（ａ）に示すように、底面部２の中心部から外れた位置であってもよい。この場合には、注入口４は、液体収容袋１が展開した際に箱側面部１２側に位置するため、箱状容器１０の注入口用開口１３は、箱側面部１２において注入口４の位置に対応する位置に設けられる。さらに、箱状容器１０の上方から液体収容袋１に液体を注入する場合には、図１５（ｂ）に示すように、注入口４を上面部３に備えてもよい。
【００４４】
また、箱状容器１０として、上記実施形態における展開状態が常であって、折り畳まれないものを用いてもよい。さらに、箱状容器１０が折り畳まれる場合であっても、上記実施形態以外の折り畳み方を採用してもよい。例えば、図１６に示すように、箱側面部１２の外側から見て、折目ラインＬ３１において山折りとなり、折目ラインＬ３３において谷折りとなるように、箱側面部１２が箱本体部１５の内側に折り畳まれてもよい。このようにして箱側面部１２が折り畳まれた箱本体部１５の平面図を、図１７に示す。このようにして箱側面部１２を折り畳んでも、箱側面部１２は、液体を注入されて展開する液体収容袋１により自動的に展開されるため、上記実施形態と同様に、予め箱状容器１０を展開しておく必要がなくなり作業性が向上する。
【符号の説明】
【００４５】
１…液体収容袋、２…底面部、３…上面部、４…注入口、５…側面マチ部、５Ａ…上側マチ部、５Ｂ…下側マチ部、６…角部、７…上側ガゼット部、８…下側ガゼット部、１０…箱状容器、１１…箱底面部、１２…箱側面部、１２Ａ…第１箱側面部、１２Ｂ…第２箱側面部、１３…注入口用開口、１４…蓋、１５…箱本体部、２０…バッグインボックス。
【図１】
2014019456.tif 000003
【図２】
2014019456.tif 000004
【図３】
2014019456.tif 000005
【図４】
2014019456.tif 000006
【図５】
2014019456.tif 000007
【図６】
2014019456.tif 000008
【図７】
2014019456.tif 000009
【図８】
2014019456.tif 000010
【図９】
2014019456.tif 000011
【図１０】
2014019456.tif 000012
【図１１】
2014019456.tif 000013
【図１２】
2014019456.tif 000014
【図１３】
2014019456.tif 000015
【図１４】
2014019456.tif 000016
【図１５】
2014019456.tif 000017
【図１６】
2014019456.tif 000018
【図１７】
2014019456.tif 000019